(57)【要約】【課題】患者や寝たきり老人のような被看護人に対する医師、看護士、介護人などによる看護過程を記録し、看護が適確に行われているか否かを検証するために有益な看護管理システムを提供する。【解決手段】看護人２が看護のために被看護人１に触れると、看護人２の携帯する第２の携帯端末４から出力される看護信号に基づく電界が看護人２の体に誘起し看護人２から被看護人１の体に伝達され、被看護人１の携帯する第１の携帯端末３で検知され、この看護信号に応答して被看護信号が電界として被看護人１の体に誘起され、この被看護信号に基づく電界は被看護人１が接触する被看護人接触電極７を介して被看護人用電極側トランシーバ９で検知され被看護信号として出力され、パソコン１１で受信され現日時情報とともに登録される。【選択図】図６
2005137813.tif 000002
【特許請求の範囲】
【請求項１】
誘起される電界を利用して看護人による被看護人に対する看護状況を管理する看護管理システムであって、
被看護人が所定の場所に位置したときに被看護人が密接または近接する位置に設けられた電極と、
所定の看護信号を電界として看護人の体に誘起し得るように看護人の体に密接または近接して携帯され、看護人が被看護人に触れると、前記看護信号に基づく電界が看護人から被看護人の体に伝達される看護人用小型情報伝達端末と、
被看護人の体に密接または近接して携帯され、被看護人の体を伝達されてくる前記看護信号に基づく電界を検知すると、この看護信号に応答して所定の被看護信号を被看護人の体を介して伝達すべく被看護信号に基づく電界を被看護人の体に誘起する被看護人用小型情報伝達端末と、
前記電極に接続され、被看護人用小型情報伝達端末を携帯した被看護人が所定の場所に位置したときに被看護人の体を介して伝達される前記被看護信号に基づく電界を前記電極を介して検知し、該被看護信号を出力する電極側情報伝達手段と、
この電極側情報伝達端手段から出力される被看護信号を受信し、この被看護信号を現日時情報とともに登録するデータ処理手段と
を有することを特徴とする看護管理システム。
【請求項２】
前記看護人用小型情報伝達端末は、前記看護信号に基づく電界とともに看護人の識別情報に基づく電界も看護人の体に誘起し、看護人が被看護人に触れている場合に、看護人から被看護人の体に伝達する看護人識別情報伝達手段を有し、
前記被看護人用小型情報伝達端末は、前記被看護信号に基づく電界とともに前記看護人の識別情報に基づく電界も検知し、前記被看護信号および看護人の識別情報に基づく電界に加えて被看護人の識別情報に基づく電界も被看護人の体に誘起する被看護人識別情報誘起手段を有し、
前記電極側情報伝達手段は、前記被看護信号に基づく電界とともに前記看護人の識別情報および被看護人の識別情報に基づく電界も前記電極を介して検知し、該被看護信号とともに看護人の識別情報および被看護人の識別情報を出力する手段を有し、
前記データ処理手段は、前記被看護信号とともに前記看護人の識別情報および被看護人の識別情報を受信し、被看護信号を現日時情報とともに登録することに加えて看護人および被看護人の識別情報も登録する手段を有する
ことを特徴とする請求項１記載の看護管理システム。
【請求項３】
前記電極側情報伝達手段は、前記被看護信号、看護人の識別情報および被看護人の識別情報とともに前記所定の場所を特定する場所識別情報も出力する手段を有し、
前記データ処理手段は、前記被看護信号、看護人の識別情報、被看護人の識別情報、前記場所識別情報も受信し、被看護信号、現日時情報、看護人および被看護人の識別情報、および場所識別情報も登録する手段を有する
ことを特徴とする請求項２記載の看護管理システム。
【請求項４】
被看護人の生体情報を検知すべく被看護人に密接または近接するように前記被看護人用小型情報伝達端末に接続して設けられた生体センサを有し、
前記被看護人用小型情報伝達端末は、生体センサから受信した生体情報に基づく電界を前記被看護信号に基づく電界とともに被看護人の体に誘起する生体情報誘起手段を有し、
前記電極側情報伝達手段は、前記被看護信号に基づく電界を検知するとともに、生体情報に基づく電界を前記電極を介して検知すると、被看護信号とともに生体情報を出力する生体情報出力手段を有し、
前記データ処理手段は、被看護信号を受信するとともに、生体情報を受信すると、被看護信号を現日時情報および生体情報とともに登録する手段を有する
ことを特徴とする請求項１乃至３のいずれか１項に記載の看護管理システム。
【請求項５】
前記看護人用小型情報伝達端末は、看護人が被看護人に触れている間、看護信号を比較的短い周期で連続的に出力する看護信号連続出力手段を有し、
前記被看護人用小型情報伝達端末は、看護信号に応答し、看護信号と同じ比較的短い周期で連続的に被看護信号を出力する被看護信号連続出力手段を有し、
前記データ処理手段は、比較的短い周期で連続的に生成される被看護信号を受信すると、この被看護信号の連続期間の開始時刻、終了時刻および開始から終了までの継続時間を識別し、これらの時間情報を現日時情報とともに登録する時間情報登録手段を有する
ことを特徴とする請求項１乃至４のいずれか１項に記載の看護管理システム。
【請求項６】
前記データ処理手段は、通信回線を介して所定の管理センタに接続され、この管理センタで前記各情報を登録管理すべく各情報を管理センタに送信する送信手段を有することを特徴とする請求項１乃至５のいずれか１項に記載の看護管理システム。
【請求項７】
前記看護は、診療、治療または介護であり、前記看護人は、医者、看護士または介護福祉士であり、被看護人は、患者または要介護者あるいは要支援者であり、前記所定の場所は、病院のベッドまたは病院の診療室内において医者の前に診察のために設けられた椅子または所定の医療機械で検査を受けるために医療機械に関連して設けられた患者用場所であることを特徴とする請求項１乃至６のいずれか１項に記載の看護管理システム。
【請求項８】
人体に誘起される電界を利用して被看護人に対する看護人による看護を管理する看護管理システムであって、
看護人が被看護人の看護を開始する前に看護人が接触する開始時接触部の表面に設けられた開始時電極と、
看護人の識別情報を電界として看護人の体に誘起し得るように看護人の体に密接または近接して携帯され、看護人が前記開始時接触部の表面に接触すると、看護人の識別情報に基づく電界が看護人の体を介して開始時電極に伝達される看護人用小型情報伝達端末と、
前記開始時電極に接続され、この開始時電極を介して前記看護人識別情報に基づく電界を検知し、この看護人識別情報を看護開始日時情報としての現日時情報とともに出力する開始時電極側情報伝達手段と、
被看護人が看護人により看護されるときには、被看護人の体が密接または近接する所定の被看護人接触部の表面に設けられた被看護人接触電極と、
前記看護人用小型情報伝達端末に設けられ、看護人用小型情報伝達端末を携帯した看護人が被看護人に触れると、看護人の識別情報に基づく電界とともに所定の看護信号に基づく電界が看護人に誘起され看護人から被看護人の体に伝達される看護信号伝達手段と、
被看護人の体に密接または近接して携帯され、被看護人の体を伝達されてくる前記看護信号および看護人識別情報に基づく電界を検知すると、看護信号に応答して所定の被看護信号を被看護人の体を介して伝達すべく被看護信号に基づく電界を看護人識別情報に基づく電界とともに被看護人の体に誘起する被看護人用小型情報伝達端末と、
前記被看護人接触電極に接続され、被看護人用小型情報伝達端末を携帯した被看護人の体が被看護人接触部の表面に密接または近接することで被看護人の体が被看護人接触電極に密接または近接した状態において被看護人の体に誘起され伝達されてくる被看護信号および看護人識別情報に基づく電界を被看護人接触電極を介して検知し、被看護信号および看護人識別情報を看護時間情報としての現時間情報とともに出力する被看護人用電極側情報伝達手段と、
前記開始時電極側情報伝達手段から出力される看護人識別情報および看護開始日時情報および前記被看護人用電極側情報伝達手段から出力される被看護信号、看護人識別情報および看護時間情報を受信し、この受信した看護人識別情報、看護開始日時情報、被看護信号および看護時間情報を登録するデータ処理手段と
を有することを特徴とする看護管理システム。
【請求項９】
被看護人用小型情報伝達端末は、前記被看護信号および看護人識別情報に基づく電界とともに被看護人の識別情報に基づく電界も被看護人の体に誘起する手段を有し、
前記被看護人用電極側情報伝達手段は、被看護信号および看護人識別情報に基づく電界とともに被看護人の識別情報に基づく電界も被看護人接触電極を介して検知し、被看護信号、看護人識別情報、看護時間情報とともに被看護人識別情報も出力する手段を有し、
前記データ処理手段は、被看護信号、看護人識別情報、看護時間情報とともに被看護人識別情報も受信し、この受信した被看護信号、看護人識別情報、看護時間情報とともに被看護人識別情報も登録する手段を有する
ことを特徴とする請求項８記載の看護管理システム。
【請求項１０】
前記被看護人用電極側情報伝達手段は、前記被看護信号、看護人識別情報、被看護人識別情報、看護時間情報とともに前記所定の被看護人接触部を特定する接触部識別情報も出力する手段を有し、
前記データ処理手段は、被看護人用電極側情報伝達手段から被看護信号、看護人識別情報、被看護人識別情報、看護時間情報とともに前記接触部識別情報も受信し、この接触部識別情報を場所識別情報として被看護信号、現日時情報、看護人識別情報および被看護人識別情報とともに登録する手段を有する
ことを特徴とする請求項９記載の看護管理システム。
【請求項１１】
被看護人の生体情報を検知すべく被看護人に密接または近接するように前記被看護人用小型情報伝達端末に接続して設けられた生体センサを有し、
前記被看護人用小型情報伝達端末は、生体センサから受信した生体情報に基づく電界を前記被看護信号および看護人識別情報に基づく電界とともに被看護人の体に誘起する生体情報誘起手段を有し、
前記被看護人用電極側情報伝達手段は、前記被看護信号および看護人識別情報に基づく電界を検知するとともに生体情報に基づく電界を検知すると、被看護信号および看護人識別情報とともに生体情報を出力する生体情報出力手段を有し、
前記データ処理手段は、被看護信号および看護人識別情報を受信するとともに生体情報を受信すると、被看護信号、看護人識別情報および看護時間情報を生体情報とともに登録する手段を有する
ことを特徴とする請求項８乃至１０のいずれか１項に記載の看護管理システム。
【請求項１２】
前記看護信号伝達手段は、看護人が被看護人に触れている間、看護信号を比較的短い周期で連続的に出力する看護信号連続出力手段を有し、
前記被看護人用小型情報伝達端末は、看護信号に応答し、看護信号と同じ比較的短い周期で連続的に被看護信号を出力する被看護信号連続出力手段を有し、
前記データ処理手段は、比較的短い周期で連続的に生成される被看護信号を受信すると、この被看護信号の連続期間の開始時刻、終了時刻および開始から終了までの継続時間を識別し、これらの時間情報を登録する時間情報登録手段を有する
ことを特徴とする請求項８乃至１１のいずれか１項に記載の看護管理システム。
【請求項１３】
前記データ処理手段は、前記被看護信号および看護人識別情報が途絶えてから所定時間経過したことを検知した場合、この情報の途絶えた時刻を看護終了日時情報として登録する終了日時登録手段を有することを特徴とする請求項８乃至１２のいずれか１項に記載の看護管理システム。
【請求項１４】
前記データ処理手段は、通信回線を介して所定の管理センタに接続され、この管理センタで前記各情報を登録管理すべく各情報を管理センタに送信する送信手段を有することを特徴とする請求項８乃至１３のいずれか１項に記載の看護管理システム。
【請求項１５】
前記データ処理手段は、
ネットワークに接続され、このネットワークを介して外部の任意の通信端末からのアクセスに応答し、通信端末とデータの送受信を可能とするインタフェースと、
このインタフェースを介した通信端末からの看護記録要求に応答し、前記登録した看護人識別情報、看護開始日時情報、被看護信号、看護時間情報を含む看護情報をインタフェースからネットワークを介して前記通信端末に返送する看護記録情報返送手段と
を有することを特徴とする請求項８乃至１４のいずれか１項に記載の看護管理システム。
【請求項１６】
前記データ処理手段は、
前記インタフェースを介して通信端末からの現在の看護状態を知りたい旨の要求を受信すると、この要求に応答し、現在行われている看護情報についての情報をインタフェースからネットワークを介して前記通信端末に返送する現看護状態情報返送手段を有することを特徴とする請求項１５記載の看護管理システム。
【請求項１７】
前記看護は、介護であり、前記看護人は、介護人であり、前記被看護人は、寝たきり老人または１人暮らしの老人であり、前記所定の被看護人接触部は、前記老人の住居内のベッドまたは椅子または風呂場であることを特徴とする請求項８乃至１６のいずれか１項に記載の看護管理システム。
【発明の詳細な説明】
【技術分野】
【０００１】
本発明は、人体に誘起される電界を利用して被看護人に対する看護人による看護を管理する看護管理システムに関し、更に詳しくは、レーザ光と電気光学結晶を用いた電気光学的手法により検知し得る電界を利用して、例えば病院における患者のような被看護人に対する医者のような看護人による診察、治療などの看護または例えば家庭に住んでいる寝たきり老人や１人暮らしの老人のような被看護人に対する介護人のような看護人による介護などのような看護が適確に行われているかどうかなどの管理を行う看護管理システムに関する。
【背景技術】
【０００２】
高齢化社会の伸展、都会への若者の進出による地方での過疎化などにより、１人暮らしの老人や寝たきりの老人が増加しつつあり、このような１人暮らしや寝たきりの老人の健康状態などを適宜観察したり、身の回りの世話をしたり、介護したり、必要により医者を派遣したり、病院に入院させるというような介護サービスが重要な課題となっている。
【０００３】
このような１人暮らしや寝たきりの老人に対する介護サービスとして、従来は、老人の各家庭に介護センタから人を例えば週に１回や２〜３回程度、派遣して、老人の健康状態や生活状態を観察したり、簡単な身の回りの世話をするなどのことが行われている（例えば、非特許文献１参照）。
【０００４】
このような介護センタから人を派遣する代わりに、１人暮らしの老人の各家庭にテレビカメラを設置し、このテレビカメラで老人の生活状態や健康状態などを観察することも可能である。このテレビカメラを１人暮らしの老人の各家庭に設置する場合には、老人が生活する寝室、厨房、居間などの各部屋にテレビカメラを設置し、この複数のテレビカメラで撮影した老人の画像を通信回線を介して介護センタなどに伝送し、この伝送されてきた老人の画像を介護センタで人が常時観察することが必要である。
【０００５】
一方、病院においては近年、医療ミスが多発し、種々問題になっているが、このような問題がどのように発生したかを適確に検証することが重要であるとともに、また裁判沙汰になった場合にも有効である。また、病人を入院させている家族などにとっては、病院に対する治療が適確に行われているかなどを知りたいことも多々ある。医療ミスのような問題として社会的に大きく取り上げられない場合においても、患者に対する病院の治療に疑いを持つような場合も多々あるが、このような疑いを晴らしたりまたは無くすためにも、また上述したような問題を明確にするためにも、治療の過程を逐一記録するようなシステムが要望されている。
【非特許文献１】http://www.zenrosai,or,jp/seikatsu/kaigo,asp
【発明の開示】
【発明が解決しようとする課題】
【０００６】
上述したように、一人暮らしや寝たきりの老人に対する介護サービスは、従来、介護センタから介護人を派遣して、老人の健康状態や生活状態を観察したり、簡単な身の回りの世話をするなどのことが行われているが、このような介護サービスが適確に行われているかどうかは介護人を派遣した管理会社や契約者では把握しにくく、介護やセキュリティの質を管理あるいは監視することも困難であり、介護人が何時老人を訪問し、どのような介護サービスをどの程度行ったかを把握することが困難であるという問題がある。
【０００７】
また、上述したように、１人暮らしや寝たきりの老人の各家庭にテレビカメラを設置する方法は、老人が生活する寝室、厨房、居間などの各部屋にテレビカメラを設置し、この複数のテレビカメラで撮影した老人の画像を通信回線を介して介護センタなどに伝送し、この伝送されてきた老人の画像を介護センタで人が常時観察することが必要であり、非常に高価なシステムが必要となるという問題があるとともに、また介護センタでは、伝送されてきた老人の画像を常時、人が観察しなければならず、このような観察を行う人材の確保にも１人暮らしの老人が増えてきた場合には経済的、空間的、資質的な問題が発生する恐れがあり、更にプライバシーの問題や老人の画像を伝送するデータ量が多くなるという問題もある。
【０００８】
更に、病院における医療ミスの問題、更には患者に対する治療が適確に行われているかなど、患者に対する病院の治療に疑いを持つような場合も多々あるが、このような疑いを晴らすかまたは無くしたり、また医療ミスの問題を解明するためにも、病院における治療の過程を逐一記録するようなシステムが要望されている。
【０００９】
本発明は、上記に鑑みてなされたもので、その目的とするところは、患者や寝たきり老人のような被看護人に対する医師、看護士、介護人などによる看護過程を記録し、看護が適確に行われているか否かを検証するために有益な看護管理システムを提供することにある。
【課題を解決するための手段】
【００１０】
請求項１記載の本発明の看護管理システムは、人体に誘起される電界を利用して被看護人に対する看護人による看護を管理する看護管理システムであって、被看護人が所定の場所に位置することによりその人体が密接または近接する接触部の表面に設けられた電極と、所定の看護信号を電界として看護人の体に誘起し得るように看護人の体に密接または近接して携帯され、看護人が被看護人に触れると、前記看護信号に基づく電界が看護人から被看護人の体に伝達される看護人用小型情報伝達端末と、被看護人の体に密接または近接して携帯され、被看護人の体を伝達されてくる前記看護信号に基づく電界を検知すると、この看護信号に応答して所定の被看護信号を被看護人の体を介して伝達すべく被看護信号に基づく電界を被看護人の体に誘起する被看護人用小型情報伝達端末と、前記電極に接続され、被看護人用小型情報伝達端末を携帯した被看護人が所定の場所に位置することで、その人体が前記電極に密接または近接した状態において被看護人の体を介して伝達されてくる前記被看護信号に基づく電界を前記電極を介して検知し、該被看護信号を出力する電極側情報伝達手段と、この電極側情報伝達手段から出力される被看護信号を受信し、この被看護信号を現日時情報とともに登録するデータ処理手段とを有することを要旨とする。
【００１１】
請求項２記載の本発明の看護管理システムでは、前記看護人用小型情報伝達端末は、前記看護信号に基づく電界とともに看護人の識別情報に基づく電界も看護人の体に誘起し、看護人が被看護人に触れている場合に、看護人から被看護人の体に伝達する看護人識別情報伝達手段を有し、前記被看護人用小型情報伝達端末は、前記被看護信号に基づく電界とともに前記看護人の識別情報に基づく電界も検知し、前記被看護信号および看護人の識別情報に基づく電界に加えて被看護人の識別情報に基づく電界も被看護人の体に誘起する被看護人識別情報誘起手段を有し、前記電極側情報伝達手段は、前記被看護信号に基づく電界とともに前記看護人の識別情報および被看護人の識別情報に基づく電界も前記電極を介して検知し、該被看護信号とともに看護人の識別情報および被看護人の識別情報を出力する手段を有し、前記データ処理手段は、前記被看護信号とともに前記看護人の識別情報および被看護人の識別情報を受信し、被看護信号を現日時情報とともに登録することに加えて看護人および被看護人の識別情報も登録する手段を有することを要旨とする。
【００１２】
請求項３記載の本発明の看護管理システムでは、前記電極側情報伝達手段は、前記被看護信号、看護人の識別情報および被看護人の識別情報とともに前記所定の場所を特定する場所識別情報も出力する手段を有し、前記データ処理手段は、前記被看護信号、看護人の識別情報、被看護人の識別情報、前記場所識別情報も受信し、被看護信号、現日時情報、看護人および被看護人の識別情報、および場所識別情報も登録する手段を有することを要旨とする。
【００１３】
請求項４記載の本発明の看護管理システムでは、被看護人の生体情報を検知すべく被看護人に密接または近接するように前記被看護人用小型情報伝達端末に接続して設けられた生体センサを有し、前記被看護人用小型情報伝達端末は、生体センサから受信した生体情報に基づく電界を前記被看護信号に基づく電界とともに被看護人の体に誘起する生体情報誘起手段を有し、前記電極側情報伝達手段は、前記被看護信号に基づく電界を検知するとともに、生体情報に基づく電界を前記電極を介して検知すると、被看護信号とともに生体情報を出力する生体情報出力手段を有し、前記データ処理手段は、被看護信号を受信するとともに、生体情報を受信すると、被看護信号を現日時情報および生体情報とともに登録する手段を有することを要旨とする。
【００１４】
請求項５記載の本発明の看護管理システムでは、前記看護人用小型情報伝達端末は、看護人が被看護人に触れている間、看護信号を比較的短い周期で連続的に出力する看護信号連続出力手段を有し、前記被看護人用小型情報伝達端末は、看護信号に応答し、看護信号と同じ比較的短い周期で連続的に被看護信号を出力する被看護信号連続出力手段を有し、前記データ処理手段は、比較的短い周期で連続的に生成される被看護信号を受信すると、この被看護信号の連続期間の開始時刻、終了時刻および開始から終了までの継続時間を識別し、これらの時間情報を現日時情報とともに登録する時間情報登録手段を有することを要旨とする。
【００１５】
請求項６記載の本発明の看護管理システムでは、前記データ処理手段は、通信回線を介して所定の管理センタに接続され、この管理センタで前記各情報を登録管理すべく各情報を管理センタに送信する送信手段を有することを要旨とする。
【００１６】
請求項７記載の本発明の看護管理システムでは、前記看護は、診療、治療または介護であり、前記看護人は、医者、看護士または介護福祉士であり、被看護人は、患者または要介護者あるいは要支援者であり、前記所定の場所は、病院のベッドまたは病院の診療室内において医者の前に診察のために設けられた椅子または所定の医療機械で検査を受けるために医療機械に関連して設けられた患者用場所であることを要旨とする。
【００１７】
請求項８記載の本発明の看護管理システムは、人体に誘起される電界を利用して被看護人に対する看護人による看護を管理する看護管理システムであって、看護人が被看護人の看護を開始する前に看護人が接触する開始時接触部の表面に設けられた開始時電極と、看護人の識別情報を電界として看護人の体に誘起し得るように看護人の体に密接または近接して携帯され、看護人が前記開始時接触部の表面に接触すると、看護人の識別情報に基づく電界が看護人の体を介して開始時電極に伝達される看護人用小型情報伝達端末と、前記開始時電極に接続され、この開始時電極を介して前記看護人識別情報に基づく電界を検知し、この看護人識別情報を看護開始日時情報としての現日時情報とともに出力する開始時電極側情報伝達手段と、被看護人が看護人により看護されるときには、被看護人の体が密接または近接する所定の被看護人接触部の表面に設けられた被看護人接触電極と、前記看護人用小型情報伝達端末に設けられ、看護人用小型情報伝達端末を携帯した看護人が被看護人に触れると、看護人の識別情報に基づく電界とともに所定の看護信号に基づく電界が看護人に誘起され看護人から被看護人の体に伝達される看護信号伝達手段と、被看護人の体に密接または近接して携帯され、被看護人の体を伝達されてくる前記看護信号および看護人識別情報に基づく電界を検知すると、看護信号に応答して所定の被看護信号を被看護人の体を介して伝達すべく被看護信号に基づく電界を看護人識別情報に基づく電界とともに被看護人の体に誘起する被看護人用小型情報伝達端末と、前記被看護人接触電極に接続され、被看護人用小型情報伝達端末を携帯した被看護人の体が被看護人接触部の表面に密接または近接することで被看護人の体が被看護人接触電極に密接または近接した状態において被看護人の体に誘起され伝達されてくる被看護信号および看護人識別情報に基づく電界を被看護人接触電極を介して検知し、被看護信号および看護人識別情報を看護時間情報としての現時間情報とともに出力する被看護人用電極側情報伝達手段と、前記開始時電極側情報伝達手段から出力される看護人識別情報および看護開始日時情報および前記被看護人用電極側情報伝達手段から出力される被看護信号、看護人識別情報および看護時間情報を受信し、この受信した看護人識別情報、看護開始日時情報、被看護信号および看護時間情報を登録するデータ処理手段とを有することを要旨とする。
【００１８】
請求項９記載の本発明の看護管理システムでは、被看護人用小型情報伝達端末は、前記被看護信号および看護人識別情報に基づく電界とともに被看護人の識別情報に基づく電界も被看護人の体に誘起する手段を有し、前記被看護人用電極側情報伝達手段は、被看護信号および看護人識別情報に基づく電界とともに被看護人の識別情報に基づく電界も被看護人接触電極を介して検知し、被看護信号、看護人識別情報、看護時間情報とともに被看護人識別情報も出力する手段を有し、前記データ処理手段は、被看護信号、看護人識別情報、看護時間情報とともに被看護人識別情報も受信し、この受信した被看護信号、看護人識別情報、看護時間情報とともに被看護人識別情報も登録する手段を有することを要旨とする。
【００１９】
請求項１０記載の本発明の看護管理システムは、前記被看護人用電極側情報伝達手段は、前記被看護信号、看護人識別情報、被看護人識別情報、看護時間情報とともに前記所定の被看護人接触部を特定する接触部識別情報も出力する手段を有し、前記データ処理手段は、被看護人用電極側情報伝達手段から被看護信号、看護人識別情報、被看護人識別情報、看護時間情報とともに前記接触部識別情報も受信し、この接触部識別情報を場所識別情報として被看護信号、現日時情報、看護人識別情報および被看護人識別情報とともに登録する手段を有することを要旨とする。
【００２０】
請求項１１記載の本発明の看護管理システムは、被看護人の生体情報を検知すべく被看護人に密接または近接するように前記被看護人用小型情報伝達端末に接続して設けられた生体センサを有し、前記被看護人用小型情報伝達端末は、生体センサから受信した生体情報に基づく電界を前記被看護信号および看護人識別情報に基づく電界とともに被看護人の体に誘起する生体情報誘起手段を有し、前記被看護人用電極側情報伝達手段は、前記被看護信号および看護人識別情報に基づく電界を検知するとともに生体情報に基づく電界を検知すると、被看護信号および看護人識別情報とともに生体情報を出力する生体情報出力手段を有し、前記データ処理手段は、被看護信号および看護人識別情報を受信するとともに生体情報を受信すると、被看護信号、看護人識別情報および看護時間情報を生体情報とともに登録する手段を有することを要旨とする。
【００２１】
請求項１２記載の本発明の看護管理システムでは、前記看護信号伝達手段は、看護人が被看護人に触れている間、看護信号を比較的短い周期で連続的に出力する看護信号連続出力手段を有し、前記被看護人用小型情報伝達端末は、看護信号に応答し、看護信号と同じ比較的短い周期で連続的に被看護信号を出力する被看護信号連続出力手段を有し、前記データ処理手段は、比較的短い周期で連続的に生成される被看護信号を受信すると、この被看護信号の連続期間の開始時刻、終了時刻および開始から終了までの継続時間を識別し、これらの時間情報を登録する時間情報登録手段を有することを要旨とする。
【００２２】
請求項１３記載の本発明の看護管理システムでは、前記データ処理手段は、前記被看護信号および看護人識別情報が途絶えてから所定時間経過したことを検知した場合、この情報の途絶えた時刻を看護終了日時情報として登録する終了日時登録手段を有することを要旨とする。
【００２３】
請求項１４記載の本発明の看護管理システムでは、前記データ処理手段は、通信回線を介して所定の管理センタに接続され、この管理センタで前記各情報を登録管理すべく各情報を管理センタに送信する送信手段を有することを要旨とする。
【００２４】
請求項１５記載の本発明の看護管理システムでは、前記データ処理手段は、ネットワークに接続され、このネットワークを介して外部の任意の通信端末からのアクセスに応答し、通信端末とデータの送受信を可能とするインタフェースと、このインタフェースを介した通信端末からの看護記録要求に応答し、前記登録した看護人識別情報、看護開始日時情報、被看護信号、看護時間情報を含む看護情報をインタフェースからネットワークを介して前記通信端末に返送する看護記録情報返送手段とを有することを要旨とする。
【００２５】
請求項１６記載の本発明の看護管理システムでは、前記データ処理手段は、前記インタフェースを介して通信端末からの現在の看護状態を知りたい旨の要求を受信すると、この要求に応答し、現在行われている看護情報についての情報をインタフェースからネットワークを介して前記通信端末に返送する現看護状態情報返送手段を有することを要旨とする。
【００２６】
請求項１７記載の本発明の看護管理システムでは、前記看護は、介護であり、前記看護人は、介護人であり、前記被看護人は、寝たきり老人または１人暮らしの老人であり、前記所定の被看護人接触部は、前記老人の住居内のベッドまたは椅子または風呂場であることを要旨とする。
【発明の効果】
【００２７】
本発明によれば、看護人が被看護人に触れると、看護人の携帯する看護人用小型情報伝達端末から出力される所定の看護信号に基づく電界が看護人の体に誘起し看護人から被看護人の体に伝達され、被看護人の携帯する被看護人用小型情報伝達端末で検知され、この看護信号に応答して被看護信号が電界として被看護人の体に誘起され、この被看護信号に基づく電界は被看護人が接触する電極を介して電極側情報伝達で検知され被看護信号として出力され、データ処理手段で受信され、データ処理手段は被看護信号を現日時情報とともに登録するので、例えば医師や看護士などの看護人が患者などの被看護人を看護などのために触診すると、被看護人が看護人により看護されたという被看護信号とともに日時情報がログとして登録されることになり、例えば医療ミスの問題で患者に対する治療が適確に行われていたのかや患者に対する病院の治療に疑いを持つような場合に対する問題や疑問の解明に有効である。
【００２８】
本発明によれば、被看護人が看護人により看護されたという被看護信号および日時情報のみならず、看護人および被看護人の識別情報も登録するので、看護人が誰であり、被看護人が誰であるかを特定でき、医者や看護士および患者が多数存在する大きな病院などでも有効である。
【００２９】
本発明によれば、被看護信号、看護人の識別情報および被看護人の識別情報、日時情報に加えて、被看護人が看護などのために位置する所定の場所を特定する場所識別情報も登録するので、この特定された場所識別情報から被看護人に対して行われた看護が例えばベッドに横たわって行われたのかまたは病院の診療室内において医者の前に診察のために設けられた椅子に座って行われたのかまたは例えばレントゲン機械のような所定の医療機械で検査を受けるために医療機械に関連して設けられた患者用場所で行われたのかを特定することができる。
【００３０】
本発明によれば、被看護人の体から検知した生体センサからの生体情報も被看護信号、日時情報、看護人識別情報、被看護人識別情報、場所識別情報などの看護情報とともに登録するので、被看護人が看護された時点における被看護人の例えば血圧、体温、脈拍などの生体情報も分かり、看護時の被看護人の体の状態を把握することができる。
【００３１】
本発明によれば、被看護信号は看護信号と同じ比較的短い周期で連続的に出力される信号であるので、この被看護信号から看護人による被看護人に対する看護サービスの開始時刻、終了時刻および開始から終了までの継続時間を特定でき、看護内容の判断に有効である。
【００３２】
本発明によれば、データ処理手段で登録される看護情報は通信回線を介して管理センタに送信されて登録されるので、例えば医療ミスの問題で患者に対する治療が適確に行われていたのかや患者に対する病院の治療に疑いを持つような場合に対する問題や疑問の解明時の証拠として有効である。
【００３３】
本発明によれば、看護人が被看護人の看護のために例えば被看護人の家庭を訪問し玄関の呼鈴などを押して開始時接触部の表面に触れると、看護人の識別情報に基づく電界が看護人の携帯する看護人用小型情報伝達端末から看護人の体に誘起され、開始時電極を介して開始時電極側情報伝達手段で検知され、看護人識別情報が看護開始日時情報とともにデータ処理手段に送信されて登録されるとともに、また看護人が例えば看護などのために被看護人に触れると、看護人用小型情報伝達端末から看護信号および看護人識別情報に基づく電界が看護人から被看護人の体に伝達され、被看護人の被看護人用小型情報伝達端末で検知され、被看護信号および看護人識別情報が電界として被看護人の体に誘起され、被看護人接触電極を介して被看護人用電極側情報伝達で検知され、被看護信号、看護人識別情報、看護時間情報として出力され、データ処理手段で受信されて登録されるので、例えば家庭を訪問した看護人による１人暮らしや寝たきりの老人などの被看護人に対する看護サービスが看護開始日時情報、看護人識別情報、看護時間情報として記録されることになり、被看護人に対する看護人による看護サービスの内容を記録データとして確認することができ、看護サービスが適確に行われていたかについての記録として有効である。
【００３４】
本発明によれば、被看護人用小型情報伝達端末は被看護信号および看護人識別情報に基づく電界とともに被看護人の識別情報に基づく電界も被看護人の体に誘起し、この被看護人の識別情報も被看護信号および看護人の識別情報とともに被看護人接触電極および被看護人用電極側情報伝達手段を介してデータ処理手段で受信され登録されるので、被看護人が誰であるかを特定でき、特に被看護人が複数存在する場合に有効である。
【００３５】
本発明によれば、被看護人が看護のために位置する特定の被看護人接触部を特定する接触部識別情報も被看護信号、看護人識別情報、被看護人識別情報、看護時間情報とともに出力されデータ処理手段に登録されるので、被看護人が特定の被看護人接触部として例えばベッドまたは椅子または風呂のどこで看護サービスを受けたのかを特定することができる。
【００３６】
本発明によれば、被看護人の体から検知した生体センサからの生体情報も被看護信号、看護人識別情報および看護時間情報などの看護情報とともに登録するので、被看護人が看護された時点における被看護人の例えば血圧、体温、脈拍などの生体情報も分かり、看護時の被看護人の体の状態を把握することができる。
【００３７】
本発明によれば、被看護信号および看護人識別情報が途絶えてから所定時間経過した時、この情報の途絶えた時刻を看護終了日時情報として登録するので、何時看護が終了したかや、看護開始時から看護終了時までの看護時間を知ることができ、看護内容の判断に有効である。
【００３８】
本発明によれば、データ処理手段は通信回線を介して各情報を管理センタに送信して登録管理するので、例えば医療ミスの問題で患者に対する治療が適確に行われていたのかや患者に対する病院の治療に疑いを持つような場合に対する問題や疑問の解明時の証拠として有効である。
【００３９】
本発明によれば、データ処理手段はネットワークを介した外部の任意の通信端末からの看護記録要求に応答し、登録済みの下に識別情報、看護開始日時情報、被看護信号、看護時間情報を含む看護情報を通信端末に返送するので、被看護人の家族、知人、親戚などの契約者は通信端末から何時でも看護内容を知ることができる。
【００４０】
本発明によれば、データ処理手段は通信端末からの現在の看護状態を知りたい旨の要求に応答し、現在行われている看護状態についての情報を通信端末に返送するので、被看護人の家族、知人、親戚などの契約者は通信端末から何時でも現在行われている看護状態の内容を知ることができる。
【発明を実施するための最良の形態】
【００４１】
本発明の看護管理システムにおいては、第２の携帯端末４を携帯した看護人２が看護のために第１の携帯端末３を携帯した被看護人１に触診すると、看護人２の第２の携帯端末４から出力される看護信号に基づく電界が看護人２の体に誘起し看護人２から被看護人１の体に伝達され、被看護人１の第１の携帯端末３で検知され、この看護信号に応答して被看護信号が電界として被看護人１の体に第１の携帯端末３から誘起され、この被看護信号に基づく電界は被看護人１が接触する被看護人接触電極７を介して被看護人用電極側トランシーバ９で検知されて被看護信号として出力され、パソコン１１で受信され現日時情報とともに登録される。
【実施例１】
【００４２】
図１は、本発明の一実施例に係わる看護管理システムの構成を示す図である。同図に示す看護管理システムは、例えば一般家庭において１人で暮らしている老人や寝たきりの老人などのような介護または看護を必要とする被介護人であり、以下本実施例では被看護人１と称するが、この被看護人１に対する介護人または看護人２による介護または看護サービスが適確に行われているか否かを監視または管理するものであり、このために同図に示すように、床面２００上に設けられた例えばベッド２０３に横たわっている被看護人１や風呂２０５に入っている被看護人１には第１の携帯端末３を携帯させ、またこの被看護人１を看護しながら被看護人１の傍に立っている看護人２には第２の携帯端末４を携帯させ、この第１の携帯端末３および第２の携帯端末４により看護人２による被看護人１に対する看護が適確に行われているか否かを管理するようになっている。なお、図１において、風呂２０５に入っている被看護人１に携帯されている第１の携帯端末３は、防水構造になっているか、または被看護人１の体内に埋めこまれているものである。
【００４３】
第１の携帯端末３は、本発明の被看護人用小型情報伝達端末を構成し、第２の携帯端末４は、本発明の看護人用小型情報伝達端末を構成しているものである。
【００４４】
第１の携帯端末３は、被看護人１の体に密接または近接して設けられることにより、その人体に電界を誘起し、この誘起した電界を用いて信号の送受信を行うものであり、図２に示すように、小型情報端末４１、生体センサ４３およびトランシーバ３１から構成され、小型情報端末４１および生体センサ４３からの信号を電界としてトランシーバ３１を介して被看護人１の体に誘起し、その体の他の部位に伝達したり、また被看護人１の体を介して伝達されてくる電界をレーザ光と電気光学結晶を用いた電気光学的手法により検知して電気信号として出力し、小型情報端末４１に供給する。
【００４５】
第２の携帯端末４は、看護人２の体に密接または近接して設けられることにより、その人体に電界を誘起し、この誘起した電界を用いて信号の送受信を行うものであるが、第１の携帯端末３の構成において生体センサ４３を持っていないことが第１の携帯端末３と異なるものであり、その他の構成は第１の携帯端末３と同じである。すなわち、第２の携帯端末４は、図２に示す小型情報端末４１およびトランシーバ３１のみから構成されていて、生体センサ４３を備えていないが、小型情報端末４１からの信号を電界としてトランシーバ３１を介して看護人２の体に誘起し、その体の他の部位に伝達したり、また看護人２の体を介して伝達されてくる電界をレーザ光と電気光学結晶を用いた電気光学的手法により検知して電気信号として出力し、小型情報端末４１に供給する。
【００４６】
第１、第２の携帯端末３、４を構成するトランシーバ３１は、図２に示すように、小型情報端末４１からの信号を入出力（Ｉ／Ｏ）回路３２を介して受け取ると、この信号を送信回路３８を介して送受信電極３４に供給し、該送受信電極３４から絶縁膜３５を介して人体１ｘ、すなわち被看護人１の体１ｘに電界を誘起させ、この電界を人体を介して人体の他の部位に伝達させる。
【００４７】
また、トランシーバ３１は、人体の他の部位から人体に誘起させられて伝達されてくる電界を絶縁膜３５を介して送受信電極３４で受け取り、この電界を電界検出光学部３６に結合して電気信号に変換する。この電気信号は、信号処理回路３７で増幅、雑音除去などの信号処理を施され、更に波形整形回路３８で波形整形などを施され、入出力回路３２を介して小型情報端末４１に出力されるようになっている。
【００４８】
第１の携帯端末３の場合には、小型情報端末４１は、必要により生体センサ４３を起動して、生体センサ４３から被看護人１の生体情報を取得し、この取得した生体情報をトランシーバ３１を介して送信するようにもなっている。すなわち、生体センサ４３は、被看護人１の人体の所定の部位に密接または近接して設けられ、これにより人体の所定の部位から得られる例えば体温、脈拍、血圧、血流などの生体情報を検知し、小型情報端末４１に供給するようになっている。
【００４９】
トランシーバ３１を構成する前記電界検出光学部３６は、人体に誘起されて伝達され、絶縁膜３５、送受信電極３４を介して結合される電界をレーザ光と電気光学結晶を用いた電気光学的手法により検知し、電気信号に変換して信号処理回路３７に出力するように機能するものであり、図３に示すように、レーザダイオード６１および電気光学結晶からなる電気光学素子６７を有する。電気光学素子６７は、レーザダイオード６１からのレーザ光の進行方向に対して例えば直角方向に結合される電界にのみ感度を有し、この電界強度によって光学特性、すなわち複屈折率が変化し、この複屈折率の変化によりレーザ光の偏光が変化するようになっている。
【００５０】
電気光学素子６７の図上で上下方向に対向する両側面には第１および第２の電極６９、７１が設けられ、第１の電極６９には前記送受信電極３４が接続され、第２の電極７１にはグランド電極７３が接続されている。送受信電極３４は、人体に誘起されて伝達されてくる電界を検知すると、この電界を第１の電極６９に伝達し、第１の電極６９を介して電気光学素子６７に結合するようになっている。
【００５１】
レーザダイオード６１から出力されるレーザ光は、コリメートレンズ６３を介して平行光にされ、平行光となったレーザ光は第１の波長板６５で偏光状態を調整されて電気光学素子６７に入射する。電気光学素子６７に入射したレーザ光は、電気光学素子６７内で第１、第２の電極６９、７１の間を伝播するが、このレーザ光の伝播中において送受信電極３４が人体に誘起されて伝達されてくる電界を検出し、この電界を第１の電極６９を介して電気光学素子６７に結合すると、この電界は第１の電極６９からグランド電極７３に接続されている第２の電極７１に向って形成され、レーザダイオード６１から電気光学素子６７に入射したレーザ光の進行方向に直角であるため、電気光学素子６７の光学特性である複屈折率が変化し、これによりレーザ光の偏光が変化する。
【００５２】
このように電気光学素子６７において第１の電極６９からの電界によって偏光が変化したレーザ光は、第２の波長板７５で偏光状態を調整されて偏光ビームスプリッタ７７に入射する。偏光ビームスプリッタ７７は、第２の波長板７５から入射されたレーザ光をＰ波およびＳ波に分離して、光の強度変化に変換する。この偏光ビームスプリッタ７７でＰ波およびＳ波成分に分離されたレーザ光は、それぞれ第１、第２の集光レンズ７９ａ、７９ｂで集光されてから、第１、第２のフォトダイオード８１ａ、８１ｂに供給され、第１、第２のフォトダイオード８１ａ、８１ｂにおいてＰ波光信号とＳ波光信号をそれぞれの電気信号に変換して出力する。
【００５３】
第１、第２のフォトダイオード８１ａ、８１ｂから出力される電気信号は、トランシーバ３１の信号処理回路３７で増幅、雑音除去などの信号処理を施され、信号整形回路３８で波形整形されてから、入出力回路３２を介して小型情報端末４１に供給される。
【００５４】
図１に戻って、上述したように小型情報端末４１、生体センサ４３およびトランシーバ３１を備えて構成される第１の携帯端末３を例えば一人暮らしや寝たきりの老人などの被看護人１の体に密接または近接するように携帯させるとともに、また看護人２にも生体センサがなく、小型情報端末４１およびトランシーバ３１を備えて構成される第２の携帯端末４を看護人２の体に密接または近接するように携帯させることにより、この看護人２による被看護人１に対する看護サービスの状態を第２の携帯端末４から第１の携帯端末３を介して取得でき管理することができる。
【００５５】
詳しくは、被看護人１が横たわっている被看護人接触部であるベッド２０３の表面には被看護人接触電極７が設けられ、この被看護人接触電極７には更に被看護人用電極側情報伝達手段としての被看護人用電極側トランシーバ９が接続され、この被看護人用電極側トランシーバ９はデータ処理手段であるパソコン１１に接続されている。
【００５６】
被看護人用電極側トランシーバ９は、本発明の被看護人用電極側トランシーバ手段を構成するものであり、第２の携帯端末４と同様に、図２に示した構成において生体センサがなく、小型情報端末４１とトランシーバ３１から構成されているものであるが、この被看護人用電極側トランシーバ９も被看護人１の体に誘起され伝達されてくる電界を被看護人接触電極７を介してレーザ光と電気光学結晶を用いた電気光学的手法により検知するように構成されているものである。
【００５７】
従って、パソコン１１は、被看護人用電極側トランシーバ９および被看護人接触電極７を介して被看護人１に携帯されている第１の携帯端末３、更には看護人２に携帯されている第２の携帯端末４との通信を被看護人１および看護人２の体に電界を誘起して伝達することにより行うことができ、これにより看護人２による被看護人１に対する看護サービスの状態を第２の携帯端末４から第１の携帯端末３を介して取得でき管理することができる。
【００５８】
このように、パソコン１１は、看護人２による被看護人１に対する看護サービスの状態を第２の携帯端末４から第１の携帯端末３を介して取得でき管理することができるが、またパソコン１１は、通信回線１３を介して公衆網１５に接続され、この公衆網１５から更に管理センタ１７のデータ処理端末１７ａ、病院・警察１９のデータ処理端末１９ａ、介護・セキュリティセンタ２１のデータ処理端末２１ａ、または家族、隣人、知人、親戚などのような本看護サービスの契約者の携帯電話２３に接続されているので、パソコン１１は通信回線１３、公衆網１５を介して被看護人１に対する看護人２による看護サービスの状態に関する情報を管理センタ１７のデータ処理端末１７ａに送信し、このデータ処理端末１７ａで被看護人１に対する看護人２による看護サービスの状態を管理することも可能である。また、契約者は、携帯電話２３から公衆網１５を介して管理センタ１７のデータ処理端末１７ａにアクセスしたり、または携帯電話２３から公衆網１５を介してパソコン１１にアクセスし、被看護人１に対する看護人２による看護サービスの状態を確認することも可能である。
【００５９】
上記では、ベッド２０３に横たわっている被看護人１の携帯する第１の携帯端末３とこれに関連する被看護人接触電極７と被看護人用電極側トランシーバ９およびこの被看護人１の傍に看護のために立っている看護人２の携帯する第２の携帯端末４について説明したが、これと同様な構成が床面２００上に設けられた風呂２０５に入っている被看護人１とこの被看護人１の傍に立っている看護人２についても設けられている。
【００６０】
すなわち、風呂２０５に入っている被看護人１は、上述したように、防水構造になっている第１の携帯端末３を体に密接または近接して携帯するかまたは被看護人１の体内に埋め込まれて第１の携帯端末３を携帯している。また、被看護人１の体が密接または近接する風呂２０５の底には被看護人接触電極７と同様な被看護人接触電極１０が複数（本実施例では２個）設けられ、各被看護人接触電極１０は被看護人用電極側トランシーバ９と同様な被看護人用電極側トランシーバ１２に接続され、これらの被看護人用電極側トランシーバ１２は被看護人用電極側トランシーバ９と同様にパソコン１１に接続されている。なお、被看護人用電極側トランシーバ１２は床面２００内に設けられている。
【００６１】
また、風呂２０５の傍に立って被看護人１を看護している看護人２もベッド２０３の看護人と同様に第２の携帯端末４を体に密接または近接して携帯している。なお、この看護人２は、床面２００の表面に設けられた床面接触電極１４上に立っていて、この床面接触電極１４は床面電極側トランシーバ１６に接続され、この床面電極側トランシーバ１６は更にパソコン１１に接続されている。床面接触電極１４および床面電極側トランシーバ１６は、それぞれ被看護人接触電極１０および被看護人用電極側トランシーバ１２と同じ構成および機能を有しているものであり、看護人２の携帯する第２の携帯端末４は、電界を用いて被看護人１の第１の携帯端末３と通信を行うだけでなく、床面接触電極１４、床面電極側トランシーバ１６を介してパソコン１１とも通信を行い得るようになっている。
【００６２】
更に、図１においては、玄関２０１の傍に看護人２が立ち、この看護人２は同様に第２の携帯端末４をその体に密接または近接して携帯しているが、玄関２０１には玄関扉の例えば呼鈴のボタンの表面に設けられた玄関用電極６が取り付けられ、この玄関用電極６は前記被看護人用電極側トランシーバ９と同様な構成および機能の玄関用電極側トランシーバ８に接続されている。
【００６３】
第２の携帯端末４を携帯した看護人２が被看護人１の家庭を看護のために訪問して、玄関２０１の呼鈴のボタンの表面に取り付けられている玄関用電極６に触れると、看護人２の第２の携帯端末４からの信号、具体的には看護人２の識別情報が電界として看護人２の体を通って玄関用電極６に伝達され、玄関用電極側トランシーバ８で検知され、玄関用電極側トランシーバ８からパソコン１１に看護人２の識別情報が送信されるようになっている。なお、玄関２０１の呼鈴のボタンは、本発明の開始時接触部を構成し、玄関用電極６は、本発明の開始時電極を構成し、玄関用電極側トランシーバ８は、本発明の開始時電極側トランシーバ手段を構成しているものである。
【００６４】
なお、第２の携帯端末４は、所定の看護信号を比較的短い周期で常時連続的に出力し、この看護信号を電界として看護人２の体に誘起する看護信号連続出力手段、看護人２の識別情報を出力し、この看護人２の識別情報を電界として看護人２の体に誘起する手段および現日時情報を看護開始時刻情報として出力する手段を有する。また、第１の携帯端末３は、被看護人１の体が看護人２の体に接触した場合に、看護人２の体から被看護人１の体に伝達されてくる前記所定の看護信号を電界として受信し、この看護信号に応答して、看護信号と同じ比較的短い周期で連続的に被看護信号を出力し、この被看護信号を電界として被看護人１の体に誘起する被看護信号連続出力手段および被看護人１の識別情報を出力し、この被看護人１の識別情報を電界として被看護人１の体に誘起する手段を有する。
【００６５】
次に、以上のように構成される本実施例の看護管理システムの作用について説明する。
【００６６】
本実施例の看護管理システムでは、看護人２が１人暮らしや寝たきりの老人である被看護人１を看護するために、看護人２が被看護人１の暮らしている一般家庭に訪問する所から始まる。看護人２は、被看護人１の家庭を訪問し、図２に示すように、玄関２０１の扉の呼鈴のボタンを指で押すと、看護人２の指はボタンの表面に設けられている玄関用電極６に直接接触するかまたは直接接触しないまでも玄関用電極６に密接または近接する。
【００６７】
看護人２の指が呼鈴のボタンを押し、玄関用電極６に接触または密接または近接すると、看護人２が携帯している第２の携帯端末４から看護人２の識別情報が電界として看護人２の体に誘起され、看護人２の体から玄関用電極６を介して玄関用電極側トランシーバ８に伝達される。玄関用電極側トランシーバ８は、この看護人２の識別情報を受信して電気信号に変換し、看護開始日時情報としての現日時情報とともに出力する。すなわち、看護人２が被看護人１の家庭を訪問し、玄関２０１の呼鈴のボタンを押した時点を本実施例では看護開始日時として設定しているものである。なお、看護人２の識別情報は、看護人２によって携帯される第２の携帯端末４に当該看護人２の識別情報を例えばＲＯＭなどにより記録しておき、これを読み出すことにより第２の携帯端末４から生成することが可能である。
【００６８】
玄関用電極側トランシーバ８から出力された看護人２の識別情報の電気信号および看護開始日時情報は、パソコン１１に送信され、パソコン１１は、看護人２の識別情報および看護開始日時情報を受信すると、これらの情報を図示しないデータベースなどに登録するとともにまた通信回線１３から公衆網１５を介して管理センタ１７のデータ処理端末１７ａにも看護人２の識別情報および看護開始日時情報を送信する。管理センタ１７のデータ処理端末１７ａは、これらの情報を受信すると、図示しないデータベースなどに登録する。この結果、看護人２が被看護人１を看護のために訪問したという記録が看護人２の識別情報と看護開始日時情報という形で記録されることになるのである。また、この場合に、看護人２の識別情報も登録されるので、看護人２として誰が訪問したかを明確にすることができ、看護人２が複数存在する場合には特に有効である。
【００６９】
次に、被看護人１の家庭を訪問した看護人２は、被看護人１の看護を開始することになるが、被看護人１は、看護人２による看護を受ける場合において図１のようにベッド２０３に横たわっている場合には、被看護人１の体は所定の被看護人接触部であるベッド７の表面に設けられた被看護人接触電極７に密接または近接しているので、この状態で看護人２がベッド２０３に横たわっている被看護人１に対する看護を開始し、看護人２の手が図１に示すように被看護人１の体、図１では被看護人１の頭に触れると、看護人２の携帯している第２の携帯端末４から常時連続的に出力されている所定の看護信号および看護人２の識別情報に基づく電界が看護人２の体に誘起され、看護人２の体から被看護人１の体に伝達され、被看護人１の携帯している第１の携帯端末３により受信される。なお、この処理は、看護人２の携帯する第２の携帯端末４に設けられている看護信号伝達手段により行われる。また、所定の看護信号は、看護人２が現在看護を行っていることを示すものであり、この看護信号は比較的短い周期で常時連続的に出力されているので、この看護信号の有無を検知することにより看護人２が実際に看護している看護開始時刻、看護終了時刻、看護継続時間、看護停止時間などを識別することができる。
【００７０】
第１の携帯端末３は、看護人２から被看護人１の体に伝達されてくる看護信号および看護人２の識別情報を電界として受信すると、この看護信号に応答して所定の被看護信号を被看護人１の体を介して被看護人接触電極７に伝達すべく被看護信号に基づく電界を看護人２の識別情報に基づく電界とともに被看護人１の体に誘起して被看護人接触電極７に伝達する。なお、第１の携帯端末３から看護信号に応答して出力される被看護信号は、被看護人１が現在看護されていることを示す信号であり、看護信号に応答して看護信号と同様に比較的短い周期で常時連続的に出力されるので、この看護信号の有無を検知することにより被看護人１が実際に看護されている被看護開始時刻、被看護終了時刻、被看護継続時間、被看護停止時間などを識別することができる。
【００７１】
被看護人接触電極７に接続されている被看護人用電極側トランシーバ９は、被看護人接触電極７に伝達されてきた被看護信号および看護人２の識別情報を被看護人接触電極７を介して検知すると、この被看護信号および看護人２の識別情報を看護時間情報としての現時間情報とともに出力し、パソコン１１に送信する。
【００７２】
パソコン１１は、被看護人用電極側トランシーバ９から被看護信号および看護人２の識別情報を看護時間情報とともに受信すると、この受信した被看護信号、看護人２の識別情報および看護時間情報をデータベースなどに登録するとともにまた通信回線１３から公衆網１５を介して管理センタ１７のデータ処理端末１７ａにも被看護信号、看護人２の識別情報および看護時間情報を送信する。管理センタ１７のデータ処理端末１７ａは、これらの情報を受信すると、データベースなどに登録する。この結果、被看護人１が看護人２により実際に看護されているとの記録が被看護信号、看護人２の識別情報と看護時間情報という形で記録されることになるのである。
【００７３】
上記説明では、被看護人１の第１の携帯端末３は、看護人２の第２の携帯端末４からの看護信号および看護人の識別情報を受信すると、看護信号に応答して被看護信号を伝達すべく被看護信号に基づく電界を看護人の識別情報に基づく電界を被看護人の体に誘起しているが、この場合に、第１の携帯端末３は被看護信号とともに被看護人１の識別情報も生成し、この被看護人１の識別情報も被看護信号および看護人２の識別情報とともに伝達するようにしてもよい。なお、被看護人１の識別情報は、被看護人１によって携帯される第１の携帯端末３に当該被看護人１の識別情報を例えばＲＯＭなどにより記録しておき、これを読み出すことにより第１の携帯端末３から生成することが可能である。
【００７４】
詳しくは、第１の携帯端末３は、被看護信号および看護人２の識別情報に基づく電界とともに被看護人１の識別情報に基づく電界も被看護人１の体に誘起する手段を有し、被看護人用電極側トランシーバ９は、被看護信号および看護人２の識別情報に基づく電界とともに被看護人１の識別情報に基づく電界も被看護人接触電極７を介して検知し、被看護信号、看護人識別情報、看護時間情報とともに被看護人識別情報も出力する手段を有する。また、パソコン１１は、被看護信号、看護人識別情報、看護時間情報とともに被看護人識別情報も受信し、この受信した被看護信号、看護人識別情報、看護時間情報とともに被看護人識別情報もデータベースに登録する。また、これらの情報である被看護信号、看護人識別情報、看護時間情報、被看護人識別情報は、パソコン１１から通信回線１３、公衆網１５を介して管理センタ１７のデータ処理端末１７ａに送信されて登録されることは同じである。
【００７５】
このように被看護人１の識別情報も第１の携帯端末３から生成し、パソコン１１およびデータ処理端末１７ａで登録することにより、被看護人１が誰であるかを明確にすることができ、仮に２人以上の被看護人１がいる場合には有効である。
【００７６】
また、被看護人用電極側トランシーバ９は、被看護人１が看護のために横たわる前記ベッドを特定する接触部識別情報、すなわち被看護人１が看護のために位置する例えばベッド、椅子、風呂場などのような所定の被看護人接触部を特定するための接触部識別情報を出力する手段を有し、この接触部識別情報を前記被看護信号、看護人識別情報、被看護人識別情報、看護時間情報とともに出力する。パソコン１１は、この被看護人用電極側トランシーバ９から出力される被看護信号、看護人識別情報、被看護人識別情報、看護時間情報とともに接触部識別情報も受信し、この接触部識別情報を場所識別情報として被看護信号、看護人識別情報、被看護人識別情報および看護時間情報とともに登録する手段を有する。また、これらの情報である被看護信号、看護人識別情報、被看護人識別情報、看護時間情報、場所識別情報は、パソコン１１から通信回線１３、公衆網１５を介して管理センタ１７のデータ処理端末１７ａに送信されて登録されることは同じである。
【００７７】
このような被看護人１が看護のために横たわるなどのように位置する場所に設けられている接触部の接触部識別情報を場所識別情報としてパソコン１１やデータ処理端末１７ａに登録しておくことにより、被看護人１がどこで看護されたかが明確に登録されることになる。例えば、最初はベッドで看護を受けた後、風呂に入って看護されたなどのようなことが記録されることになる。
【００７８】
また、被看護人１が携帯している第１の携帯端末３は、生体センサ４３を備えているが、上述したように看護人２から被看護人１の体に伝達されてくる看護信号および看護人識別情報を検知し、この看護信号に応答して被看護信号を看護人識別情報とともに電界として被看護人１の体に誘起して出力する場合に、この生体センサ４３から生体情報を受信し、この生体情報に基づく電界を被看護信号および看護人識別情報に基づく電界とともに被看護人１の体に誘起して出力する生体情報誘起手段を有する。
【００７９】
そして、被看護人用電極側トランシーバ９は、被看護信号および看護人識別情報に基づく電界を検知するとともに生体情報に基づく電界を検知すると、被看護信号および看護人識別情報とともに生体情報を出力する生体情報出力手段を有する。パソコン１１は、被看護信号および看護人識別情報を受信するとともに生体情報を受信すると、被看護信号、看護人識別情報および看護時間情報を生体情報とともに登録する。また、これらの情報である被看護信号、看護人識別情報、看護時間情報、生体情報は、パソコン１１から通信回線１３、公衆網１５を介して管理センタ１７のデータ処理端末１７ａに送信されて登録されることは同じである。
【００８０】
このように看護情報として被看護人１の性体情報も検知して登録しておくことにより、被看護人１の看護時の体の状態を適確に判断することができる。例えば、生体情報として被看護人１の体温、血圧、脈拍などを検知し登録した場合には、これらの体温、血圧、脈拍から被看護人１の看護時における体の状態を把握することができる。
【００８１】
第１の携帯端末３から電界として出力される被看護信号は、第２の携帯端末４からの看護信号に対応して看護信号と同様に比較的短い周期で連続的に出力されるので、パソコン１１は、この比較的短い周期で連続的に生成される被看護信号を受信すると、この被看護信号の連続期間の開始時刻、終了時刻および開始から終了までの継続時間を識別し、これらの時間情報を時間情報登録手段で登録することができるが、このような被看護信号の連続期間の開始時刻、終了時刻および開始から終了までの継続時間を登録することにより各看護の開始時刻、終了時刻、継続時間を知ることができるとともに、この各看護が例えば１０分継続して行った後、５分休み、それからまた８分行うなどのように小刻みに何回かに分けて行われる場合には、この小刻みに複数回行われた回数やそれぞれの看護の開始時間、終了時間、継続時間も知ることができる。
【００８２】
また、公衆網１５に接続された例えば家族、隣人、知人、親戚などの契約者の携帯電話２３は、公衆網１５を介してパソコン１１にアクセスすることができる。すなわち、パソコン１１は、通信回線１３から公衆網１５を介して外部の任意の通信端末である契約者の携帯電話２３からのアクセスに応答し、通信端末とデータの送受信を可能とするインタフェースを有し、このインタフェースを介して携帯電話２３から看護記録要求を受信すると、この看護記録要求に応答し、パソコン１１自身に上述したように登録した看護人識別情報、看護開始日時情報、被看護信号、看護時間情報などを含む看護情報をデータベースなどから読み出し、インタフェースから通信回線１３、公衆網１５を介して携帯電話２３に看護記録情報返送手段から返送するようになっている。従って、契約者は、携帯電話２３によりパソコン１１から看護情報を取得し、この看護情報から被看護人１に対する看護人２による看護サービスの内容を把握することができる。具体的には、看護人２の識別情報から看護人２が誰であるかを知ることができるし、看護開始日時情報から看護が何時から開始されたかを知ることができるし、看護時間情報から看護が時間的にどのくらい行われていたかも知ることができる。
【００８３】
また、パソコン１１は、前記インタフェースを介して携帯電話２３からの現在の看護状態を知りたい旨の要求を受信すると、この要求に応答し、現在行われている看護状態情報をインタフェースから通信回線１３、公衆網１５を介して携帯電話２３に現看護状態情報返送手段で返送することができる。この現在行われている看護状態情報は、例えばパソコン１１が現在受信中の看護人識別情報、看護開始日時情報、被看護信号、被看護人識別情報、看護時間情報、更には場所識別情報などを含むものであり、これらの情報から現在どのような看護が行われているのか、また今どのような看護が終わったところか、看護人は誰か、どのくらいの時間、看護を行っているかなどが分かることになるので、上記情報とともにその内容を上記のように解読して携帯電話２３の契約者に通知することが可能である。
【００８４】
更に、パソコン１１は、看護人２が被看護人１の看護のために被看護人１の家庭を訪問したことを玄関用電極側トランシーバ８からの看護人２の識別情報および看護開始日時情報により認識した後、被看護人用電極側トランシーバ９から逐次受信する被看護信号、被看護人１の識別情報などの看護情報により被看護人１が看護中であることを認識するが、このような看護情報が所定時間途絶えたことを検知した場合には、看護人２による看護サービスは終了したものと判定し、この看護終了日時情報を登録する。
【００８５】
次に、図４に示すシーケンス図を参照して、上記処理に関連する作用について説明する。
【００８６】
まず、図４におけるステップＳ１１〜Ｓ１７を参照して、契約者の携帯電話２３または管理センタ１７のデータ処理端末１７ａから「被看護人１が誰に看護されているか？」を確認する処理について説明する。
【００８７】
契約者は、携帯電話２３から公衆網１５、通信回線１３を介してパソコン１１にアクセスし、看護人確認要求を行うと、パソコン１１は、例えば被看護人用電極側トランシーバ９に当該要求を送信し、被看護人用電極側トランシーバ９から被看護人接触電極７を介して被看護人１の携帯する第１の携帯端末３にアクセスする（ステップＳ１１）。それから、更に、パソコン１１は第１の携帯端末３から看護人２の携帯する第２の携帯端末４にアクセスし、第２の携帯端末４から看護人２の識別情報を読み出す（ステップＳ１３）。
【００８８】
この読み出された看護人２の識別情報は、第２の携帯端末４から第１の携帯端末３に送信され（ステップＳ１５）、第１の携帯端末３から被看護人接触電極７を介して被看護人用電極側トランシーバ９に送られ、被看護人用電極側トランシーバ９からパソコン１１に送られ、パソコン１１から通信回線１３、公衆網１５を介して契約者の携帯電話２３に返信され、携帯電話２３に音声またはディスプレイによる表示により看護人２の識別情報が出力される（ステップＳ１７）。この看護人２の識別情報により契約者は誰が看護人であるかを認識することができる。
【００８９】
なお、上記処理では、一例として被看護人用電極側トランシーバ９に看護人確認要求を送信し、被看護人用電極側トランシーバ９から第１の携帯端末３や第２の携帯端末４にアクセスする場合について説明したから、実際には第２の携帯端末４を携帯している看護人２はどこにいるのか、またはどこで看護しているのかなど不明であるので、パソコン１１は各トランシーバ、すなわち玄関用電極側トランシーバ８、被看護人用電極側トランシーバ９、被看護人用電極側トランシーバ１２、床面電極側トランシーバ１６などに順次看護人確認要求を送信し、第１の携帯端末３を介して第２の携帯端末４が接続されているトランシーバから看護人２の識別情報を返送してもらうことになる。また、看護人２が携帯している第２の携帯端末４は、上記実施例で説明したように、被看護人１に接触して看護している場合には、第２の携帯端末４から常時看護人２の識別情報を出力し、この看護人２の識別情報は第２の携帯端末４から第１の携帯端末３、電極、トランシーバを介してパソコン１１に常時送信され、パソコン１１に登録されているので、図４に示すように、トランシーバ、電極、第１の携帯端末３を介して第２の携帯端末４にアクセスしなくても、パソコン１１から看護人２の識別情報を取得することができる。また更に、契約者が携帯電話２３から看護人２の第２の携帯端末４にアクセスしようとした場合には、看護人２は被看護人１に看護のために接触していない場合もあるので、図４に示すシーケンスのように、第２の携帯端末４から看護人２の識別情報を取得するよりも、看護人２が被看護人１の家庭を訪問した時点でパソコン１１に登録されている看護人２の識別情報をパソコン１１から取得する方が効率的である。なお、管理センタ１７のデータ処理端末１７ａによる看護人２の識別情報の取得処理は、上述した契約者の携帯電話２３による看護人２の識別情報の取得処理と同じであり、単に契約者の携帯電話２３をデータ処理端末１７ａに置き換えたものであるので、その説明は省略する。
【００９０】
次に、図４におけるステップＳ２１〜Ｓ２７を参照して、契約者の携帯電話２３または管理センタ１７のデータ処理端末１７ａから「何時から看護が始まったか？」を確認する処理について説明する。なお、この処理の説明では、一例として、看護人２が被看護人１の家庭を訪問して被看護人１の家庭の玄関２０１の呼鈴のボタンを押した場合に、看護人２の携帯する第２の携帯端末４に看護開始日時情報が記録されたものとして説明する。
【００９１】
契約者は、携帯電話２３から公衆網１５、通信回線１３を介してパソコン１１にアクセスし、看護開始日時要求を行うと、パソコン１１は、被看護人用電極側トランシーバ９に当該要求を送信し、被看護人用電極側トランシーバ９から被看護人接触電極７を介して被看護人１の携帯する第１の携帯端末３にアクセスする（ステップＳ２１）。それから、更に、パソコン１１は第１の携帯端末３から看護人２の携帯する第２の携帯端末４にアクセスし、第２の携帯端末４から看護開始日時情報を読み出す（ステップＳ２３）。
【００９２】
この読み出された看護開始日時情報は、第２の携帯端末４から第１の携帯端末３に送信され（ステップＳ２５）、第１の携帯端末３から被看護人接触電極７を介して被看護人用電極側トランシーバ９に送られ、被看護人用電極側トランシーバ９からパソコン１１に送られ、パソコン１１から通信回線１３、公衆網１５を介して契約者の携帯電話２３に返信され、携帯電話２３に音声またはディスプレイ表示により看護開始日時を例えば図示のように「１４時」として出力する（ステップＳ２７）。これにより、契約者は、看護開始日時を知ることができる。なお、管理センタ１７のデータ処理端末１７ａによる看護開始日時情報の取得処理は、上述した契約者の携帯電話２３による処理と同じであり、単に契約者の携帯電話２３をデータ処理端末１７ａに置き換えたものであるので、その説明は省略する。
【００９３】
次に、図４におけるステップＳ３１〜Ｓ４３を参照して、契約者の携帯電話２３または管理センタ１７のデータ処理端末１７ａから「生体センサを起動し、看護サービスの質を問い合わせて生体情報を取得する」処理について説明する。
【００９４】
契約者は、携帯電話２３から公衆網１５、通信回線１３を介してパソコン１１にアクセスし、生体センサ起動要求を行うと、パソコン１１は、被看護人用電極側トランシーバ９に当該要求を送信し、被看護用電極側トランシーバ９から被看護人接触電極７を介して被看護人１の携帯する第１の携帯端末３にアクセスし、生体センサ起動指令を第１の携帯端末３に供給する（ステップＳ２１）。この生体センサ起動指令を受け取った第１の携帯端末３は、図２で説明したように自身の接続されている生体センサ４３を起動する（ステップＳ３１）。
【００９５】
このように生体センサ４３を起動した後、契約者は、携帯電話２３から公衆網１５、通信回線１３を介してパソコン１１にアクセスし、看護サービスの質の要求を行うと、パソコン１１は、被看護人用電極側トランシーバ９に当該要求を送信し、被看護人用電極側トランシーバ９から被看護人接触電極７を介して被看護人１の携帯する第１の携帯端末３にアクセスし、生体情報取得要求を第１の携帯端末３に供給する（ステップＳ４１）。第１の携帯端末３は、生体情報取得要求を受け取ると、生体センサ４３で検知した生体情報を被看護人接触電極７、被看護人用電極側トランシーバ９を介してパソコン１１に送信する。パソコン１１は、生体情報を受け取ると、この生体情報を通信回線１３、公衆網１５を介して契約者の携帯電話２３に送信する（ステップＳ４３）。その後、契約者は、生体情報を受け取ると、この生体情報を別途データ処理し、看護の質を判定する。
【００９６】
なお手管理センタ１７のデータ処理端末１７ａによる生体センサの起動および看護サービスの質の取得についての処理は、上述した契約者の携帯電話２３による処理と同じであり、単に契約者の携帯電話２３をデータ処理端末１７ａに置き換えたものであるので、その説明は省略するが、この場合において管理センタ１７においては、パソコン１１から受け取った生体情報に対するデータ処理は管理センタ１７自身内で行うことができる。
【００９７】
次に、図４におけるステップＳ５１〜５３を参照して、契約者の携帯電話２３または管理センタ１７のデータ処理端末１７ａから「何時に看護が終わったか？」についての処理を説明する。
【００９８】
契約者は、携帯電話２３から公衆網１５、通信回線１３を介してパソコン１１にアクセスし、看護終了日時要求を行うと、パソコン１１は、被看護人用電極側トランシーバ９に当該要求を送信し、被看護人用電極側トランシーバ９から被看護人接触電極７を介して被看護人１の携帯する第１の携帯端末３にアクセスし、看護終了日時要求を第１の携帯端末３に供給する（ステップＳ５１）。なお、第１の携帯端末３は、第２の携帯端末４からの看護信号が途絶えてから所定時間経過することを検知すると、この信号の途絶えてた時刻を看護終了日時として登録しているものとする。
【００９９】
第１の携帯端末３は、看護終了日時要求を受け取ると、第１の携帯端末３自身に登録している看護終了日時情報を読み出し、この看護終了日時情報を被看護人接触電極７、被看護人用電極側トランシーバ９を介してパソコン１１に送信する。パソコン１１は、この看護終了日時情報を受信すると、通信回線１３、公衆網１５を介して契約者の携帯電話２３に返信する。この結果、契約者の携帯電話２３にはこの看護終了日時情報として例えば図示のように、「１５時」から例えば音声またはディスプレイによる表示により契約者に出力される。なお、管理センタ１７のデータ処理端末１７ａによる看護終了日時要求についての処理は、上述した契約者の携帯電話２３による処理と同じであり、単に契約者の携帯電話２３をデータ処理端末１７ａに置き換えたものであるので、その説明は省略する。また、上述した看護サービスに対して契約者から支払が行われる。
【０１００】
図５は、図１に示したベッド２０３の表面に設けられた被看護人接触電極７の配列を示す斜視図である。図１では、被看護人接触電極７は、図の簡単化のために便宜上、１個の被看護人接触電極７のみを図示しているが、実際には、図５に示すようにベッド２０３の表面には図５に示すように複数の被看護人接触電極７が配列され、被看護人１がどの位置に横たわったり、寝転んだりしても被看護人１と近接または密接し得るようになっている。複数の被看護人接触電極７は全て電気的に接続されてから被看護人用電極側トランシーバ９に接続され、更に被看護人用電極側トランシーバ９からパソコン１１に接続されている。なお、各被看護人接触電極７は例えば絶縁膜などの被覆されているものである。
【実施例２】
【０１０１】
次に、図６を参照して本発明の他の実施例に係わる看護管理システムについて説明する。
【０１０２】
図６に示す実施例の看護管理システムは、例えば病院設置され、病院における患者のような被看護人に対する医者のような看護人による診療、治療などの看護を登録管理しようとするものである。具体的には、本実施例の看護管理システムは、近年の病院における医療ミスの問題、更には患者に対する治療が適確に行われているかなど、患者に対する病院の治療に疑いを持つような場合も多々あるが、このような疑いを晴らすかまたは無くしたり、また医療ミスの問題を解明するためにも、病院における医療の過程を全て逐一記録管理しようとするものである。なお、図５における第１の携帯端末３、第２の携帯端末４、被看護人接触電極７、被看護人用電極側トランシーバ９、パソコン１１、管理センタ１７、データ処理端末１７ａは、図１に示したものと同じ構成および作用を有するものであり、同じ符号を付されている。
【０１０３】
本実施例の看護管理システムは、図５に示すように、床面２００上に設けられた例えばベッド２０３に横たわっている患者などの被看護人１には図１の実施例と同じ第１の携帯端末３を携帯させ、この被看護人１を診療、治療または介護などの看護をしながら被看護人１の傍に立っている例えば医者または看護士あるいは介護福祉士などの看護人２には図１の実施例と同じ第２の携帯端末４を携帯させ、この第１および第２の携帯端末３、４により被看護人１に対して行われる看護人２による看護処理のすべてを逐一記録管理しようとするものである。
【０１０４】
本実施例の看護管理システムでは、医者または看護士などの看護人２が治療や看護のために患者である被看護人１に触診すると、看護人２の携帯している第２の携帯端末４から所定の看護信号に基づく電界が看護人２の体に誘起され、この看護信号に基づく電界は看護人２から被看護人１の体に伝達される。なお、看護信号は、看護人２が被看護人１を看護していることを示す信号である。
【０１０５】
この看護人２から被看護人１の体に伝達された看護信号に基づく電界は、被看護人１の携帯する第１の携帯端末３で検知される。第１の携帯端末３は、この看護信号に基づく電界を検知すると、この看護信号に応答して所定の被看護信号に基づく電界が被看護人１の体に誘起され、被看護人１の体を介して被看護人接触電極７に伝達される。なお、この被看護信号は、被看護人１が看護人２により看護されていることを示す信号である。
【０１０６】
この被看護人接触電極７には被看護人用電極側トランシーバ９が接続されているので、被看護人用電極側トランシーバ９は、被看護人接触電極７を介して被看護信号を検知し、この検知した被看護信号をパソコン１１に送信する。パソコン１１は、被看護人用電極側トランシーバ９からの被看護信号を受信すると、この被看護信号を現日時情報とともに例えば図示しないデータベースなどに登録するとともに、また通信回線１３、公衆網１５を介して管理センタ１７のデータ処理端末１７ａに送信する。データ処理端末１７ａは、パソコン１１から被看護信号および現日時情報を受信すると、これらの情報をデータベースなどに登録する。
【０１０７】
このように看護人２が被看護人１を触診しながら看護すると、この被看護人１が看護されたことを示す被看護信号およびその看護日時を示す現日時情報がパソコン１１やデータ処理端末１７ａに登録されることになるので、この登録から何時看護が行われたかを明確にすることができる。
【０１０８】
上記実施例では、看護人２が被看護人１を触診しながら看護すると、看護人２の携帯する第２の携帯端末４からは、看護人２が被看護人１を看護しつつあることを示す所定の看護信号が出力され、この看護信号に基づく電界が看護人２から被看護人１の体に伝達されるが、この場合に第２の携帯端末４は、看護信号とともに看護人２が誰であるかを特定する看護人２の識別情報も出力し、この看護人２の識別情報に基づく電界を看護信号に基づく電界も看護人２から被看護人１に伝達してもよいものである。このように看護人２の識別情報も出力することにより、看護人２が誰であるかを特定することができ、１人の被看護人１を複数の看護人２が看護する場合に有効である。
【０１０９】
このように看護人２の識別情報を看護信号とともに出力する場合には、被看護人１の携帯する第１の携帯端末３は、被看護信号に基づく電界とともに看護人２の識別情報に基づく電界も検知し、この看護信号に応答して被看護信号とともに看護人２の識別情報を出力するだけでなく、更に被看護人１の識別情報も第１の携帯端末３から出力し、これらの情報、すなわち被看護信号、看護人２の識別情報および被看護人１の識別情報に基づく電界を被看護人１の体に誘起し、被看護人接触電極７に伝達する。
【０１１０】
そして、被看護人用電極側トランシーバ９は、被看護信号に基づく電界とともに看護人の識別情報および被看護人の識別情報に基づく電界も被看護人接触電極７を介して検知し、該被看護信号とともに看護人の識別情報および被看護人の識別情報をパソコン１１に送信する。パソコン１１は、被看護信号とともに看護人の識別情報および被看護人の識別情報を受信し、被看護信号を現日時情報とともに登録するとともに、看護人および被看護人の識別情報も登録する。
【０１１１】
なお、この例では、第１の携帯端末３は、被看護信号および看護人２の識別情報に加えて、被看護人１の識別情報も出力するようになっていて、この被看護人１の識別情報に基づく電界も同時に被看護人１の体に誘起し、パソコン１１に送信し、パソコン１１では被看護信号とともに看護人２の識別情報および被看護人１の識別情報も登録するため、どの看護人２がどの被看護人１を看護したかが明確に登録され、看護人２のみならず、被看護人１も特定することができる。
【０１１２】
更に、上記実施例において、患者である被看護人１が治療や看護などのために位置する所定の場所、例えば図５のようなベッドまたは病院の診療室内において医者の前に診察のために設けられた椅子または例えばレントゲン機械などのような所定の医療機械で検査を受けるために当該医療機械に関連して設けられた患者用場所を特定するための場所識別情報も上記各情報に加えて被看護人接触電極７から出力し、パソコン１１に送信してもよいものである。
【０１１３】
そして、パソコン１１は、被看護信号、看護人の識別情報および被看護人の識別情報などの情報とともに場所識別情報も受信すると、この場所識別情報を被看護信号、現日時情報、看護人および被看護人の識別情報とともに登録する。このように被看護人１が看護のために位置する特定の場所の識別情報も登録することにより、看護人２による被看護人１の看護がどこで行われたか、すなわち看護がベッドで行われたのか、診療室内の医者の前に診察のために設けられた椅子で行われたのか、または例えばレントゲン機械などのような所定の医療機械のところで行われたのかを特定することができる。
【０１１４】
更に、第１の携帯端末３は、図２に示すように生体センサ４３を備えているので、第１の携帯端末３は、生体センサ４３から受信した生体情報に基づく電界を被看護信号に基づく電界とともに被看護人の体に誘起し、被看護人接触電極７を介して被看護人用電極側トランシーバ９に伝達することも可能である。なお、この場合、生体センサ４３は、第１の携帯端末３が起動されて作動している場合には、生体センサ４３も第１の携帯端末３とともに作動していて、看護人２の生体情報を検知しているものとすれば特に生体センサ４３を起動する必要もないが、第１の携帯端末３が作動していても、生体センサ４３は停止していて、生体情報が必要な場合のみ、生体センサ４３を別途、起動するように構成してもよいものである。
【０１１５】
被看護人用電極側トランシーバ９は、被看護信号に基づく電界を検知するとともに、生体情報に基づく電界を検知すると、被看護信号とともに生体情報をパソコン１１に送信する。パソコン１１は、被看護信号を受信するとともに、生体情報を受信すると、被看護信号を現日時情報および生体情報とともに登録する。このように生体情報を登録することにより、被看護人１が看護人２により看護されている場合の生体情報、例えば脈拍、血圧、心拍数、体温なども登録でき、看護時における被看護人１の状態を認識することができる。
【０１１６】
なお、第２の携帯端末４から出力される看護信号は、看護人２が被看護人１に触れている間、例えば比較的短い周期で常時連続的に出力するようにしてもよいものである。そして、第１の携帯端末３は、第２の携帯端末４からこのような看護信号を受信すると、この看護信号に応答し、該看護信号と同じ比較的短い周期で連続的に被看護信号を出力する。また、パソコン１１も同様に比較的短い周期で連続的に生成される被看護信号を受信する。そして、パソコン１１は、このように比較的短い周期で連続的に発生する被看護信号から、その連続期間の開始時刻、終了時刻および開始から終了までの継続時間を識別し、これらの時間情報を現日時情報とともに時間情報登録終了手段で登録することにより、看護人２による被看護人１に対する各看護の開始時刻、終了時刻および継続時間を認識することができる。
【０１１７】
また、パソコン１１は、上述したように取得した各情報を通信回線１３、公衆網１５を介して管理センタ１７のデータ処理端末１７ａに送信し、管理センタ１７のデータ処理端末１７ａでも同様に記録管理するようになっている。この結果、被看護人１に対する看護人２による看護状態は、各病院に設けられているパソコン１１のみならず、管理センタ１７でも管理することができる。
【図面の簡単な説明】
【０１１８】
【図１】本発明の一実施例に係わる看護管理システムの構成を示す図である。
【図２】図１に示す実施例の看護管理システムに使用されている第１の携帯端末の構成を示すブロック図である。
【図３】図２に示す第１の携帯端末に使用されている電界検出光学部の構成を示す図である。
【図４】図１に示す実施例の看護管理システムの作用の一部を示すシーケンス図である。
【図５】図１に示す実施例の看護管理システムに使用されているベッドにおける被看護人接触電極の配列を示す図である。
【図６】本発明の他の実施例に係わる看護管理システムの構成を示す図である。
【符号の説明】
【０１１９】
１    被看護人
２    看護人
３    第１の携帯端末
４    第２の携帯端末
６    玄関用電極
７    被看護人接触電極
８    玄関用電極側トランシーバ
９、１２    被看護人用電極側トランシーバ
１０    被看護人接触電極
１１    パソコン
１３    通信回線
１４    床面接触電極
１５    公衆網
１６    床面電極側トランシーバ
１７    管理センタ
１７ａ    データ処理端末
３１    トランシーバ
４１    小型情報端末
４３    生体センサ
【図１】
2005137813.tif 000003
【図２】
2005137813.tif 000004
【図３】
2005137813.tif 000005
【図４】
2005137813.tif 000006
【図５】
2005137813.tif 000007
【図６】
2005137813.tif 000008